(57)【要約】  【課題】  特別な操作を要することなくプレス体に振動を付与することができ、使用者の熟練の如何に拘らず満足すべき仕上がりを達成し得るアイロンを提供する。  【解決手段】  平坦なプレス面10を下面に有するプレス体１の上面に備えられた把手２の内部に、加振モータ３、加振板４及び槌体５を備える加振手段を構成し．加振モータ３からの伝動により生じる加振板４及び槌体５の回転により、プレス体１に連続的な振動が自動的に加えられるように構成する。【選択図】      図１
2005152211.tif 000002
【特許請求の範囲】
【請求項１】
熱源を内蔵するプレス体の上面に、該プレス体の平坦な下面を布製品の表面に押し付け、該表面上にて滑り移動させるべく把持操作される把手を備えるアイロンにおいて、
前記把手の内側に構成され、前記プレス体に連続的な加振力を付与する加振手段を備えることを特徴とするアイロン。
【請求項２】
前記加振手段は、前記プレス体の上面から離れた位置に、該上面と略平行をなす回転軸回りに回転自在に偏心支持された重錘と、前記回転軸に回転力を加える駆動手段とを備える請求項１記載のアイロン。
【請求項３】
前記重錘を支持する支持板の一部に、前記回転軸と略平行をなす軸により基部を枢支され、前記支持板の回転周上の一か所にて前記プレス体の一部に衝突する槌体を備える請求項２記載のアイロン。
【請求項４】
前記把手は、前記プレス体から立設された脚部と、該脚部と緩衝部材を介して連結された把持部を備える請求項１乃至請求項３のいずれかに記載のアイロン。
【発明の詳細な説明】
【技術分野】
【０００１】
本発明は、布製品、特に、ワイシャツ、ズボン等の衣服類のしわ伸ばし、形直し及び洗濯後の仕上げに用いる家庭用品として広く普及しているアイロンに関する。
【背景技術】
【０００２】
アイロンは、船形をなす金属製のプレス体と、該プレス体の一面（上面）に把持操作可能に取付けられた把手とを備え、このプレス体の他面（下面）に、対象となる布製品への押し付けのために全面に亘って平坦化されたプレス面を形成し、またプレス体の内部に、前記プレス面を加熱する電熱ヒータを備えて構成されている。
【０００３】
このように構成されたアイロンは、前記電熱ヒータへの通電によりプレス体のプレス面を所定温度に加熱せしめた後、把手を把持してプレス体の全体を持ち上げ、下面に設けたプレス面を対象となる布製品の表面に押し付けて、該表面上にてプレス面を滑べらせつつプレス体を移動させて使用される。
【０００４】
この使用による布製品のしわ伸ばし、形直しは、水分の供給下での加熱により、対象となる布製品の繊維分子間の結合を弱めておき、この状態においてなされるプレス面の押し付け移動により繊維分子の並びを変形せしめて実現される。加熱温度の高低及び水分供給の要否は、対象となる布製品の種類に応じて異なるから、電熱ヒータの温度制御によりプレス面の温度を調節可能とし、また、プレス面からスチームを噴出させて水分供給の有無を選択可能とする等、多彩な布製品への適応を図る工夫がなされ、更には、布製品の表面での移動を滑らかに行わせるべく、プレス面にフッ素樹脂をコーティングする等、使い勝手の向上を図る工夫がなされている（例えば、特許文献１、２参照）。
【特許文献１】特開２００１−２３２１００号公報
【特許文献２】特開平８−１４１２９５号公報
【発明の開示】
【発明が解決しようとする課題】
【０００５】
ところが、以上の如き種々の工夫がなされたアイロンを用い、同一の条件下にてアイロンがけが行われたとしても、最終的な仕上がり状態に大きい個人差が存在するという問題があり、このことが、家庭内でのアイロンの使用を妨げる要因となっている。
【０００６】
本願発明者は、以上の如き仕上がり状態の差異の原因を探るべく、クリーニング店等においてアイロンがけを専門に行っている熟練者の仕事を観察した結果、彼らは、特に、衣類の隅角部等の仕上がりの差が生じ易い部位において、単純にプレス体を移動させるのではなく、把手を介してプレス体に細かい振動を与え、当該部位への押し付け強さを周期的に変えつつ移動させるようにしており、このような操作により良好な仕上がり状態が得られることを知見した。
【０００７】
本発明は斯かる事情に鑑みてなされたものであり、何らな特別な操作を要することなくプレス体に振動を付与することができ、使用者の熟練の如何に拘らず満足すべき仕上がりを達成し得るアイロンを提供することを目的とする。
【課題を解決するための手段】
【０００８】
本発明の第１発明に係るアイロンは、熱源を内蔵するプレス体の上面に、該プレス体の平坦な下面を布製品の表面に押し付け、該表面上にて滑り移動させるべく把持操作される把手を備えるアイロンにおいて、前記把手の内側に構成され、前記プレス体に連続的な加振力を付与する加振手段を備えることを特徴とする。
【０００９】
本発明においては、把手の内側に構成された加振手段の動作により、プレス体に連続的な加振力を加え、この加振力の付与下にて細かく振動するプレス体を布製品に押し付けて単純に滑り移動させることにより、熟練者と同等のアイロンがけを何らの操作も要さずに実現する。
【００１０】
また本発明の第２発明に係るアイロンは、第１発明における加振手段が、前記プレス体の上面から離れた位置に、該上面と略平行をなす回転軸回りに回転自在に偏心支持された重錘と、前記回転軸に回転力を加えるモータとを備えることを特徴とする。
【００１１】
この発明においては、モータからの回転力の付加によりプレス体の上面から離れた位置にて重錘が偏心回転し、この偏心回転に伴う周期的な加振力がプレス体に加えられることとなり、所望の加振手段を簡素に実現することができる。
【００１２】
また本発明の第３発明に係るアイロンは、第２発明における重錘を支持する支持板の一部に、前記回転軸と略平行をなす軸により基部を枢支され、前記支持板の回転周上の一か所にて前記プレス体の一部に衝突する槌体を備えることを特徴とする。
【００１３】
この発明においては  重錘の支持板に槌体を揺動自在に枢支し、重錘と共に回転する槌体を回転周上の一か所にてプレス体に衝突させ、この衝突による衝撃力をプレス体に加えて．重錘の偏心回転による加振との相乗作用によりプレス体に良好な振動を加える。
【００１４】
更に第４発明に係るアイロンは、第１〜第３発明における把手が、プレス体から立設された脚部と、該脚部と緩衝部材を介して連結された把持部を備えることを特徴とする。
【００１５】
この発明においては、プレス体に付加される振動を緩衝部材の作用により吸収し、使用者により把持される把手の把持部への伝播を緩和して、良好な使用感を実現する。
【発明の効果】
【００１６】
本発明の第１発明に係るアイロンにおいては、把手の内側での加振手段の動作によりプレス体に振動を自動的に付加することができ、振動を加えつつプレス体を移動させる熟練者のアイロンがけが、特別な操作を要することなく実現され、使用者の熟練の如何に拘らず良好な仕上がり状態が得られ、使い勝手の向上を図ることができる。
【００１７】
また本発明の第２発明に係るアイロンにおいては、重錘を偏心回転させる簡素な構成により所望の振動を加える加振手段を実現することができ、また第３発明に係るアイロンにおいては、槌体の衝突によりプレス体に周期的な衝撃が加えられ、より良好な仕上がり状態が得られるようになり、更に第４発明に係るアイロンにおいては、プレス体の振動の使用者への伝播による使用感の悪化を軽減することができる等、本発明は優れた効果を奏する。
【発明を実施するための最良の形態】
【００１８】
以下本発明をその実施の形態を示す図面に基づいて詳述する。図１は、本発明に係るアイロンを一側から見た要部破断斜視図であり、図２は、同じく他側から見た要部破断斜視図である。また図３は、本発明に係るアイロンの側面図、図４は、本発明に係るアイロンの上方からの平面図、図５は、本発明に係るアイロンの前方からの正面図である。
【００１９】
これらの図に示す如く本発明に係るアイロンは、船形に成形された厚肉板状をなす金属製のプレス体１と、このプレス体１の一面（上面）に把持操作可能に取付けられた把手２とを備えている。プレス体１の他面（下面）は、全面に亘って平坦化され、対象となる布製品に押し付けられるプレス面10が形成されている。またプレス体１の内部には、熱源としての図示しない電熱ヒータが固設されている。この電熱ヒータは、プレス体１の後縁に図２に示す如く設けられた電源コネクタ11を介して商用電源に接続され、該商用電源からの給電により発熱し、プレス面10を加熱すべく構成されている。
【００２０】
なお本発明に係るアイロンは、従来から存在するアイロンと同様、プレス体１のプレス面10に、ＰＴＦＥ等のフッ素樹脂によるコーティングを施し、布製品への押し付け下にて良好な滑り性能が得られるように構成するのが望ましい。また本発明に係るアイロンは、従来から存在するアイロンと同様、電熱ヒータの温度制御によりプレス面10の温度を調節可能に構成することができ、この場合、プレス体１の上面に、温度、対象となる布等の加熱条件を設定するための操作部が設けられる。更に本発明に係るアイロンは、プレス面10からスチームを噴出させ得る構成とすることができ、この場合、プレス体１の上部に水の供給口が設けられる。
【００２１】
なおこれらの構成については、いずれも公知の構成であり、構造及び動作の詳細な説明は省略し、また前記操作部及び供給口の図示も省略してある。
【００２２】
本発明に係るアイロンの特徴は、以上の如きプレス体１に加振力を加えるべく構成された加振手段を備えるところにあり、この加振手段は、把手２の内部に以下の如く構成された加振モータ３、加振板４及び槌体５を備えてなる。
【００２３】
図示の如く把手２は、プレス体１の上面中央部に立設された前脚部20と、同じく後縁に沿って立設された後脚部21との間に、プレス体１と略平行をなすように架設された把持部22を備えて構成されている。前脚部20は、図１、２、４に示す如く、十字形の平面形状を有し、プレス体１の上面に固設された底板23と、該底板23の外側を覆うカバー板24とを備えて構成されている。なおカバー板24は、前脚部20の内部構造を示すべく大部分を取り除き、一部のみを図示してある。
【００２４】
また後脚部21は、プレス体１の上面に後縁に沿って固定された底板25と、該底板25の全幅に亘って上方に延設された脚板26とを備えて構成されている。なお脚板26は、その形状を明らかとすべく、幅方向の略中央部にて破断した形態にて図示してある。
【００２５】
前脚部20と後脚部21との間に架設された把持部22は、使用者による把持に適した直径を有する円筒体であり、その前端は、蛇腹状をなす緩衝筒27により、前脚部20の上部に連結され、また後端は、波板として構成された緩衝板28により、後脚部21の脚板26の上縁に連結されている。なお把持部22は、以下に示す内部構成を明らかにすべく、一側半部を取り除いた形態にて示してある。
【００２６】
このような構成された把持部22には、前脚部20との連結側に加振モータ３が内嵌保持されており、この加振モータ３は、把持部22の後脚部21との連結側に内蔵された蓄電池30及び回路基板31からの給電により回転駆動されるようになしてある。蓄電池30は、図２及び図３に示す如く、把持部22の後端に設けられた給電端子32に接続されており、この給電端子32を商用電源に接続することにより充電され、繰り返し使用が可能に構成されている。なお、加振モータ３の駆動及び非駆動の切換えは、把持部22の外面に設けたスイッチ操作により行われるが、図１〜図４においては、このスイッチの図示を、蓄電池30、回路基板31、給電端子32及び加振モータ３の接続線の図示と共に省略してある。
【００２７】
以上の如き加振モータ３の出力端は、前脚部20の内側に突出させてあり、この突出端には駆動プーリ33が同軸的に嵌着固定されている。一方前脚部20の内部には、底板23の上面に立設された前後一対の支持脚34，34の上端に、加振モータ３と平行をなす従動軸35が軸架されており、この従動軸35には、扇形をなす加振板４が固設されている。
【００２８】
図６は、加振板４の外観斜視図である。本図に示す如く従動軸35は、一側半部を大径として一体に構成された従動プーリ36を備える中空軸であり、中空部に挿通された支軸37により前記支持脚34，34間に支持されている。従動プーリ36及び前記駆動プーリ33は、図示の如く、外周面に複数の歯を備える歯付きプーリであり、これらは軸長方向に整合され、内周面に歯を備えるタイミングベルト38により回転伝達可能に連結されている。
【００２９】
加振板４は、従動プーリ36の一側に連設されたボス部外周に扇形の要部分を連絡し、径方向外向きに拡がるように固設されており、一側縁の先端側には、略直角にばね掛け突起40が突設されている。また加振板４の中央部には、径方向の内外に離れて表裏に貫通する貫通孔41，42が形成されており、外側の貫通孔42には、円板形をなす重錘43が、中心孔に挿通された固定ピン44により固定支持されている。
【００３０】
以上の如く構成された加振板４には、加振モータ３の回転が、駆動プーリ33、タイミングベルト38及び従動プーリ36を介して滑りなく伝達され、該加振板４は、従動軸35を枢軸として回転駆動される。このとき加振板４に固定された重錘43が、従動軸35から所定長離れた円周上にて偏心回転することとなり、この偏心回転に伴い従動軸35には、回転周期に対応する周期的な加振力が加わり、この加振力は、支持脚34，34を介して前脚部20の底板23に伝播し、該底板23が固設されたプレス体１に加えられる。
【００３１】
一方、加振板４の基端側の貫通孔41には、重錘43の固定面と逆側の面に、図１〜５に示す如く、槌体５の基部が枢支ピン45により揺動自在に枢支されている。槌体５の先端部には、図１及び図５に示す如く、ゴム等の弾性材料からなるブロック形の槌作用部50が固設してあり、この先端部と前記ばね掛け突起40との間には、槌体５を引っ張り付勢するコイルばね51が張架されている。また槌体５が取付けられた加振板４の一面には、コイルばね51による引っ張りの側にて槌体５に当接可能な位置にストッパ板46が突設されている。
【００３２】
このように取付けられた槌体５は、加振板４と共に従動軸35の軸回りに回転する。前脚部20の底板23の上面には、槌体５先端の槌作用部50の回転円周上に干渉する位置に、矩形ブロック状をなす衝突ブロック52が固設されており、この衝突ブロック52は、槌体５が回転周上の下位置近傍に達したとき槌作用部50と衝突すべくなしてある。なお、加振板４と共に生じる槌体５の実際の回転は、前記コイルばね51の引っ張り付勢により前記ストッパ板46に当接せしめられた状態にて生じるが、図１〜図５には、槌体５、コイルばね51及びストッパ板46の関係が、特に、図１及び図５において明らかとなるように、槌体５とストッパ板46とが離れた位置にあるように図示してある。
【００３３】
図７は、加振板４及び槌体５の動作説明図である。図７（ａ）〜図７（ｄ）は、従動軸35を中心とし、矢符に示す如く時計回りに回転する加振板４の回転位置の変化を順次示しており、この回転に伴う重錘43の回転により、前述の如くプレス体１に周期的な加振力が加えられる。
【００３４】
また加振板４と共に回転する槌体５は、加振板４が図７（ａ）に示す回転位置にあるとき、短縮状態にあるコイルばね51の引っ張り付勢によりストッパ板46に当接した状態で拘束されており、加振板４が図７（ｂ）に示す回転位置に達したとき、枢支ピン45による枢支部から下方に垂下される回転位置に達し、槌体５先端の槌作用部50は、前記衝突ブロック52に衝突する。これにより衝突ブロック52には、所定の衝撃力が付与され、この衝撃力は、衝突ブロック52が固設された前脚部20の底板23を介してプレス体１に加えられる。
【００３５】
また衝突ブロック52に衝突した槌体５は、更なる加振板４の回転に伴って、図７（ｃ）に示す如く、衝突ブロック52との当接状態を保ったまま枢支ピン45を枢軸として揺動し、加振板４のばね掛け突起40との間に張架されたコイルばね51が伸長する。槌体５と衝突ブロック52との当接状態は、加振板４に対する槌体５の揺動角度が所定の角度に達した時点において外れ、図７（ｄ）に示す如く槌体５は、伸長したコイルばね51のばね力によりストッパ板46に当接せしめられた元位置に復帰し、加振板４との一体回転を継続することとなり、槌体５による衝撃力の付加は、加振板４の回転に伴って断続的に繰り返される。
【００３６】
本発明に係るアイロンによるアイロンがけは、従来と同様、把手２を把持し、プレス体１の下面に設けたプレス面10を対象となる布製品の表面に押し付けて、該表面上にてプレプレス体１を滑り移動移動させて行われるが、このとき、加振モータ３が回転駆動せしめた場合、プレス体１には、加振板４に固設された重錘43の偏心回転による周期的な加振力と、衝突ブロック52への槌体５の衝突による断続的な衝撃力とが加えられることとなり、プレス体１に細かい振動を与えつつ行われる熟練者によるアイロンがけを簡易に実施することができ、何らの技術も要さずに良好な仕上がり状態が得られるようになる。
【００３７】
槌体５の槌作用部50は、ゴム等の弾性材料製としてあり、前記衝撃力の加振板４側への伝播は、槌作用部50の弾性により緩和される。更に把手２の把持部22は、プレス体１から立設された前脚部20及び後脚部21に緩衝筒27及び緩衝板28を介して夫々連結されており、前記加振力及び衝撃力は、把持部22を把持する使用者に伝わることがなく、良好な使用感が得られる。なお把持部22への振動の伝播を緩和する緩衝体は、実施の形態に示す緩衝筒27及び緩衝板28に限らず、例えば、ゴム等の弾性材料を把持部22と前脚部20及び後脚部21との連結部に介装することによって実現することもできる。
【００３８】
以上の動作をなす加振板４及び槌体５は、駆動源となる加振モータ３と共に把手２の内部にコンパクトに構成されており、前述したアイロンがけは、加振板４及び槌体５の動作に煩わされることなく行える。
【００３９】
なお加振モータ３駆動及び非駆動は、前述したスイッチ操作により選択可能であり、衣類の隅角部等の仕上げが難しい部位においてのみ加振モータ３を駆動し、プレス体１に振動を与えるようにするのが望ましいが、加振モータ３を常時駆動とし、布製品の全面に亘って振動を付与しつつプレス体１を移動させるようにしてもよい。
【図面の簡単な説明】
【００４０】
【図１】本発明に係るアイロンを一側から見た要部破断斜視図である。
【図２】本発明に係るアイロンを他側から見た要部破断斜視図である。
【図３】本発明に係るアイロンの側面図である。
【図４】本発明に係るアイロンの上方からの平面図である。
【図５】本発明に係るアイロンの前方からの正面図である。
【図６】加振板の外観斜視図である。
【図７】加振板及び槌体の動作説明図である。
【符号の説明】
【００４１】
１    プレス体
２    把手
３    加振モータ
４    加振板
５    槌体
22    把持部
27    緩衝筒
28    緩衝板
43    重錘
52    衝突ブロック
【図１】
2005152211.tif 000003
【図２】
2005152211.tif 000004
【図３】
2005152211.tif 000005
【図４】
2005152211.tif 000006
【図５】
2005152211.tif 000007
【図６】
2005152211.tif 000008
【図７】
2005152211.tif 000009